(57)【要約】      （修正有）【課題】壁面に針を刺し込むことなく、予め突っ張り棒端面に吸着させて壁面への取りつけ位置を容易に決定可能にする。【解決手段】突っ張り棒支持板２の正面に正面側吸盤４を、背面に背面側吸盤５を設けている。面側吸盤４と背面側吸盤５は、大径椀体の内側に小径椀体が同心に一体的に取り付けられた二重吸盤である。突っ張り棒支持板２の正面下端には正面方に突っ張り棒受け部３が突設されている。【選択図】図５
2017144206.tif 000002
【特許請求の範囲】
【請求項１】
対向壁面間に伸縮性突っ張り棒を架設可能に、突っ張り棒の端面と壁面間に挾持されて突っ張り棒を支持する突っ張り棒支持具であって、
突っ張り棒支持板の下端縁に、突っ張り棒の端部下縁を支持するための突っ張り棒受け部を正面方に突出させて連設し、
前記突っ張り棒支持板の正面に、正面方に吸着面が向く正面側吸盤を設け、
前記突っ張り棒支持板の背面には、背面方に吸着面が向く背面側吸盤を設けたことを特徴とする突っ張り棒支持具。
【請求項２】
対向壁面間に伸縮性突っ張り棒を架設可能に、突っ張り棒の端面と壁面間に挾持されて突っ張り棒を支持する突っ張り棒支持具であって、
突っ張り棒支持板の下端縁に、突っ張り棒の端部下縁を支持するための突っ張り棒受け部を正面方に突出させて連設し、
前記突っ張り棒支持板の背面には背面方に吸着面が向く背面側吸盤を設けたことを特徴とする突っ張り棒支持具。
【請求項３】
上記吸盤は軟質性材料からなり、大径椀体の内部に小径椀体を同心状に一体的に形成されていることを特徴とする請求項１又は２の何れかに記載の突っ張り棒支持具。
【請求項４】
上記正面側吸盤の頂部と、上記背面側吸盤の頂部が、上記突っ張り棒支持板の肉厚を２等分する位置に於いて、正面側吸盤の椀体中心と背面側吸盤の椀体中心を結ぶ線が突っ張り棒支持板の正背面と９０度の角度をなすように設けられていることを特徴とする請求項１又は３の何れかに記載の突っ張り棒支持具。
【発明の詳細な説明】
【技術分野】
【０００１】  本願発明は、伸縮性を有する突っ張り棒の端部を支持するための突っ張り棒支持具に関し、詳しくは、予め突っ張り棒の端面に取り付けて使用することで壁面への位置決めを容易化することに特徴を有する突っ張り棒支持具に関する。
【背景技術】
【０００２】  住居の物入れは単なる直方体状空間であることが一般的である。物入れに衣服やバッグ等を高さ方向に積み重ねると、下方に収納した物を取り出す際に、予め上に積み重ねた物を取り除く必要がある。物を高さ方向に積み重ねるよりも、横方向に並べて収納する方が収納物を取り出しやすく使い勝手が良好で、又、下に収納した物が上に収納した物の重量で変形等する事態が生ぜず、限られた容積の空間を有効利用できるという長所がある。物入れに横方向に物を収納する方法として、壁面に画鋲を刺し込んで物を吊下げることや、長さ方向に伸縮性を有する突っ張り棒を、物入れ等の対向壁面間に架け渡し、突っ張り棒両端面が壁面に作用する押圧力に対応した重量の範囲内で、物を突っ張り棒に吊設することが行われている。
伸縮性を有する突っ張り棒を対向壁面間に架け渡す場合、突っ張り棒を収縮させた状態で対向壁面間に仮配設し、突っ張り棒を伸長復元させ、突っ張り棒端面と壁面との接触具合を突っ張り棒を収縮伸長させる作業を繰り返すことで微調整し、突っ張り棒が壁面に対して垂直になったときに突っ張り棒から手を離して取付作業を完了するものである。
特許文献１、特許文献２及び特許文献３に突っ張り棒支持具が開示されている。特許文献１〜３に開示の突っ張り棒支持具は、予め壁面に螺子やピン、或はステープラーを用いて取り付けて使用するものである。つまり、突っ張り棒を収縮状態で対向壁面間の空間に差し入れ、予め壁面に取り付けられた突っ張り棒支持具の所定位置に突っ張り棒端面を対向させた後、突っ張り棒を伸長復元し、突っ張り棒の復元力で突っ張り棒端面が壁面を加圧し、該加圧作用で突っ張り棒を壁面間に架設するものである。特許文献１〜３に開示の突っ張り棒支持具は、突っ張り棒支持具を取り付ける位置が螺子やピン或はステープラー針を突き刺し可能なベニヤ板や天然木材、或は石膏ボード等の比較的軟質な壁である必要がある。
ところで、予め突っ張り棒支持具を取り付けた位置は、必ずしも壁面と垂直な位置に沿って突っ張り棒を架設できる位置ではなく、突っ張り棒が壁面に対して垂直な位置に架設されていない場合は、突っ張り棒支持具を壁面から剥離し、再度突っ張り棒支持具を最適な位置に取り付ける作業をしなければならない。
又、ユニットバス等の気密性を有する滑らかな硬質性合成樹脂製壁面や、浴室のタイル壁面には、螺子若しくはピン、或はステープラーを刺し込むことはできず、ユニットバスの壁面や浴室のタイル壁面には、特許文献１〜３に開示の発明は適用不可能であった。
【先行技術文献】
【特許文献】
【０００３】
【特許文献１】第３１８３９６２号の登録実用新案公報
【特許文献２】第３１８２８４６号の登録実用新案公報
【特許文献３】特許第５８４３１２２号の特許公報
【発明の概要】
【発明が解決しようとする課題】
【０００４】  本願発明は、予め突っ張り棒の端面に取り付けた状態で、壁面間に突っ張り棒を架設可能にすることで、壁面に対して使用者の所望の角度で突っ張り棒を架設可能にし、又、ユニットバスの合成樹脂製壁面や浴室のタイル壁面にも適用でき、耐荷重強度に優れた突っ張り棒支持具を提供することを目的とする。
【課題を解決するための手段】
【０００５】  上記目的を達成するために本願発明のうち請求項１に記載の発明は、対向壁面間に伸縮性突っ張り棒を架設可能に、突っ張り棒の端面と壁面間に挾持されて突っ張り棒を支持する突っ張り棒支持具であって、突っ張り棒支持板の下端縁に、突っ張り棒の端部下縁を支持するための突っ張り棒受け部を正面方に突出させて連設し、突っ張り棒支持板の正面に、正面方に吸着面が向く正面側吸盤を設け、突っ張り棒支持板の背面には、背面方に吸着面が向く背面側吸盤を設けたことを特徴とする。
請求項２に記載の発明は、対向壁面間に伸縮性突っ張り棒を架設可能に、突っ張り棒の端面と壁面間に挾持されて突っ張り棒を支持する突っ張り棒支持具であって、突っ張り棒支持板の下端縁に、突っ張り棒の端部下縁を支持するための突っ張り棒受け部を正面方に突出させて連設し、前記突っ張り棒支持板の背面には背面方に吸着面が向く背面側吸盤を設けたことを特徴とする。請求項２に記載の突っ張り棒支持具は、端面に吸盤を具備した突っ張り棒と共に使用すると有効である。
請求項３に記載の発明は、請求項１又は２の何れかに記載の突っ張り棒支持具の吸盤が軟質性材料からなり、大径椀体の内部に小径椀体を同心状に一体的に形成されていることを特徴とする。
請求項４に記載の発明は、請求項１又は３の何れかに記載の突っ張り棒支持具の正面側吸盤の頂部と、背面側吸盤の頂部が、突っ張り棒支持板の肉厚を２等分する位置に於いて、正面側吸盤の椀体中心と背面側吸盤の椀体中心を結ぶ線が突っ張り棒支持板の正背面と９０度の角度をなすように設けられていることを特徴とする。
【発明の効果】
【０００６】  本願発明は、予め突っ張り棒の端面に正面側吸盤の吸着作用で突っ張り棒支持板を取り付け、突っ張り棒は突っ張り棒支持具が取り付けられた状態で軸方向に収縮され、壁面間の最適な空間位置にて突っ張り棒を伸長し、突っ張り棒支持板の背面を背面側吸盤の吸着作用で壁面に吸着固定するので、何度も位置調整をすることがなく容易に壁面間に突っ張り棒を架設できるという効果がある。
本願発明は、ステープラーや画鋲等を使用しないで吸盤の吸着作用及び突っ張り棒の復元力のみで壁面間に架設する構成であるので、平滑な壁面への取付強度が高く、その結果、特に突っ張り棒の耐荷重性が著しく向上するという効果がある。
本願発明は、突っ張り棒支持板の正面と背面の両面に吸盤を設けているので、突っ張り棒の壁面への固定力が強く、又、大径椀体の内部に小径椀体を同心状に一体的に成形した吸盤により吸着力が高まり、突っ張り棒の耐過重性は一層大となるという効果がある。
【図面の簡単な説明】
【０００７】
【図１】突っ張り棒支持具の斜視図である。（実施例１）
【図２】突っ張り棒支持具の正面図である。（実施例１）
【図３】突っ張り棒支持具の背面図である。（実施例１）
【図４】突っ張り棒支持具の平面図である。（実施例１）
【図５】突っ張り棒支持具の右側面図である。（実施例１）
【図６】図２のＡ−Ａ線に沿う断面図である。（実施例１）
【図７】突っ張り棒を壁面間に架設した使用状態を示す説明図である。（実施例１）
【図８】突っ張り棒支持具の側面図である。（実施例２）
【図９】突っ張り棒支持具を壁面に取り付けた状態を示す要部説明図である。（実施例２）
【発明を実施するための形態】
【０００８】  本発明は突っ張り棒支持板の正面及び背面に相反する方向に吸着面が向く吸盤を配設することで、あらかじめ突っ張り棒支持板の正面に突っ張り棒端面を取り付けた状態で突っ張り棒を伸縮でき、突っ張り棒収縮状態で対向壁面の突っ張り棒支持具取付最適位置を決定することを実現し、又、突っ張り棒支持板正面側に設けた吸盤と突っ張り棒支持板背面側に設けた吸盤を頂部が突っ張り棒支持板の肉厚を２等分する位置で連設され夫々の吸盤の中心を結ぶ線と突っ張り棒支持板の肉厚を２等分する位置が９０度の角度を以って交わる位置関係を有することで、正面側或いは背面側吸盤の何れか一方の吸盤の吸着面に力が作用すると他方の吸盤の吸着面が被吸着面に対して作用し、吸盤の突っ張り棒端面及び壁面への吸着力が向上することを実現した。
【実施例１】
【０００９】  図１〜図７に基いて実施例１を説明する。突っ張り棒支持具１は突っ張り棒支持板２、突っ張り棒受け部３、正面側吸盤４及び背面側吸盤５とよりなる。突っ張り棒支持板２は所定の同一厚の合成樹脂製平板よりなる。突っ張り棒支持板２は、非吸水性、耐衝撃性及び硬度の観点よりＥＶＡ樹脂を材料として用いることが好適である。実施例１では、突っ張り棒支持板２は正背視が略長方形状の縦長な平板よりなる。突っ張り棒支持板２の下端は下方に延設し、突っ張り棒支持板２の正面と９０度の角度を有して正面方に突き出す突っ張り棒受け部３を連続的に設けている。突っ張り棒支持板２と突っ張り棒受け部３は一体成型により形成されていることが好適である。【００１０】  突っ張り棒支持板２の正面には、正面側吸盤４を吸着面が正面外側方を向いて設けられている。正面側吸盤４の吸着部は軟性合成樹脂、例えば軟質塩化ビニール樹脂よりなる。正面側吸盤４は、大径椀体６の内側に小径椀体７を同心状に配設して一体成型により形成された二重吸盤よりなり、小径椀体７の頂部外側は大径椀体６の内側中心部と連続しており、大径椀体６の外側中心頂部は突っ張り棒支持板２の正面と一体的に連設されている。突っ張り棒支持板２の背面には、背面側吸盤５を吸着面が背面外側方を向いて設けられている。背面側吸盤５の吸着部は軟性合成樹脂、例えば軟質塩化ビニール樹脂よりなる。背面側吸盤５は、大径椀体８の内側に小径椀体９を同心状に配設して一体成型により形成された二重吸盤よりなる。小径椀体９の頂部外側は大径椀体８の内側中心部と連続しており、大径椀体８の外側中心頂部は突っ張り棒支持板２の背面と一体的に連設されている。大径椀体６の頂部と、大径椀体８の頂部は、突っ張り棒支持板２の板厚を２等分する位置に於いて、正面側吸盤４の大径椀体６及び小径椀体７の中心と、背面側吸盤５の大径椀体８と小径椀体９の中心を結ぶ線が、突っ張り棒支持板２の正背面と９０度の角度をなすように一体的に設けられている。つまり、突っ張り棒支持板２に、正面側吸盤４と背面側吸盤５は、吸着面が夫々相反する方向を向いて設けられている。【００１１】  突っ張り棒支持板２の正面には正面側吸盤４の取り付け位置を中心とし、大径椀体６の正面形状よりも大径の正面視が円形の窪み部１０が凹設されている。正面側吸盤４の吸着部から空気を排気し、正面側吸盤４が突っ張り棒１２の端面に吸着状態で取り付けられた場合、大径椀体６が窪み部１０内において拡開するようにした。突っ張り棒支持板２の背面には背面側吸盤５の取り付け位置を中心とし、大径椀体８の背面形状よりも大径の背面視が円形の窪み部１１を凹設している。背面側吸盤５の吸着部から空気を排気し、背面側吸盤５が壁面に吸着された場合、大径椀体６が窪み部１１内において拡開可能にした。【００１２】  次に作用について説明する。突っ張り棒１２の端面に正面側吸盤４を吸着させて突っ張り棒支持具１を取り付ける。突っ張り棒１２は軸方向に伸縮性を有するので、突っ張り棒１２の両端面に夫々突っ張り棒支持具１を取り付けた状態で、突っ張り棒１２を架設予定の壁面１３、１３間にて位置調整をし、最適位置にて突っ張り棒１２を復元伸長させる。背面側吸盤５は壁面１３に圧接���着され、壁面１３間に突っ張り棒１２が架設される。正面側吸盤４及び背面側吸盤５は、大径椀体６、８と小径椀体７、９よりなる二重吸盤であるので、ユニットバスの壁面やタイル壁面等の平滑面への吸着力が高い。浴室等のピンを刺し込み不可能な平滑で気密な壁面間に突っ張り棒を架設するのに好適である。
【実施例２】
【００１３】  図８及び図９に示される実施例２について説明する。突っ張り棒支持具１４は、突っ張り棒支持板１５、突っ張り棒受け部１６及び背面側吸盤１７よりなる。突っ張り棒支持板１５は所定の同一厚の合成樹脂製平板よりなり、非吸水性、耐衝撃性及び硬度の観点よりＥＶＡ樹脂を材料として用いることが好適である。突っ張り棒支持板１５は正背視が略長方形状の縦長な平板よりなる。突っ張り棒支持板１５の下端は下方に延設し、突っ張り棒支持板１５の正面と９０度の角度を有して正面方に突き出す突っ張り棒受け部１６を連設している。突っ張り棒支持板１５と突っ張り棒受け部１６は一体成型により形成されていることが好適である。突っ張り棒支持板１５の背面には、背面側吸盤１７を吸着面を背面方に向けて設けている。突っ張り棒支持板１５の背面には、背面側吸盤１７の取付位置を中心とし、背面側吸盤１７の径よりも大径の背面視が円形の窪み部１８が凹設されている。背面側吸盤１７は大径椀体と小径椀体が同心状に一体成型された二重吸盤を用いることが好適である。突っ張り棒支持具１４は、端面に吸盤１９を具備する突っ張り棒２０を、突っ張り棒支持板１５の正面に吸着状態で背面側吸盤１７により突っ張り棒支持板１５の背面を壁面１３に吸着して取り付けるものである。
【符号の説明】
【００１４】  １、１４  突っ張り棒支持具
２、１５  突っ張り棒支持板
３、１６  突っ張り棒受け部
４  正面側吸盤
５、１７  背面側吸盤
６、８  大径椀体
７、９  小径椀体
１２、２０  突っ張り棒
１３  壁面
【図１】
2017144206.tif 000003
【図２】
2017144206.tif 000004
【図３】
2017144206.tif 000005
【図４】
2017144206.tif 000006
【図５】
2017144206.tif 000007
【図６】
2017144206.tif 000008
【図７】
2017144206.tif 000009
【図８】
2017144206.tif 000010
【図９】
2017144206.tif 000011